(57)【特許請求の範囲】
【請求項１】
本体ケース内部に警報音を発するスピーカと前記スピーカを駆動する回路とを有し、起動スイッチの操作によって警報を発する警報装置において、
前面に設けられた発光体と、平面視において前記発光体を取り囲む円周状をなす溝部とを有し、前記本体ケースの前面に取り付けられたカバープレートと、
先端部分が前記溝部とはめあう円筒状の部材であって、前記先端部分の外周側面と前記溝部の内周側面とがしまりばめになって前記溝部に挿着されている円筒状部材と、
前記カバープレートの前面に取り付けられて前記発光体及び前記円筒状部材を覆うグローブと
を有することを特徴とする防雨型警報装置。
【請求項２】
前記円筒状部材の外周側面が前記先端部分直前まで内径方向に傾斜していることを特徴とする請求項１記載の防雨型警報装置。
【請求項３】
前記円筒状部材は、その基端に該円筒部より大径のつば部が設けられていることを特徴とする請求項１又は２記載の防雨型警報装置。
【請求項４】
請求項１〜３のいずれかの項記載の防雨型警報装置において、
前記カバープレートは、前記発光体を取り囲む円周上に形成された所定の形状の取付孔及びねじ孔を有し、前記溝部が前記円周の内側の同心円に沿って形成されたカバープレートであり、
前記グローブは、前記カバープレートへの取付側の縁部に、前記取付孔の形状に応じて突設された爪部と、前記ねじ孔と重合する凹部とを有し、前記爪部を前記取付孔へ嵌通させ、かつ、重合した前記ねじ孔と前記凹部とにねじを嵌通させて前記カバープレートに取り付けられたグローブである
ことを特徴とする防雨型警報装置。
【発明の詳細な説明】
【０００１】
【発明の属する技術分野】
本発明は、店舗あるいは、工場や家庭等に設置される防雨型警報装置に関する。
【０００２】
【従来の技術】
通常、店舗あるいは、工場や家庭等では、災害時に備えて警報装置が設置される。この警報装置に関しては、屋内に限らず屋外に設置されることもあるので、雨雪等の水分の浸入を防ぐための防雨膜を設けた防雨型警報装置が提案されている（実開昭６２−１４９８８２号）。
【０００３】
そのような従来の防雨型警報装置について、以下に図面を参照して説明する。図１１は従来の防雨型警報装置を示す概略斜視図である。図において、５０はカバープレートであり、装置本体の上方となる位置にグローブ５１の土台となるベース５２をねじ止めするためのねじ孔５０ａ、５０ａと、ランプ等の発光体（図示略）を突出させるための孔５０ｂとが設けられている。又、それらの孔の下方となる位置には、格子状に配列された通孔からなる開口部５０ｃが設けられており、その更に下方には、起動スイッチ枠５３とともに起動スイッチ５４が取り付けられている。
【０００４】
グローブ５１は、発光体を覆う内部空洞の半楕球状部材であり、ベース５２への取付部分にねじ部５１ｃを有する。ベース５２は、内側側面にねじ部５１ｃと係合する雌ねじ部５２ｃを有する円盤状の部材であり、ねじ孔５０ａ、５０ａと重合するねじ孔５２ａ、５２ａと、孔５０ｂと重合する孔５２ｂとが設けられている。
【０００５】
５５は本体ケースであり、内部には警報装置用の回路基板や上記発光体等が設けられている（図示略）。そして、この本体ケース５５内の収納部５６にスピーカ５７が収納されており、スピーカ５７の発音部側に防雨膜５８が取り付けられる。この防雨膜５８は、スピーカ５７と音響開口部５９とに挟み込まれるようにして取り付けられている。ここで、音響開口部５９は、防雨膜５８との間に共鳴部を形成するための一定の厚みを有する円盤状の部材であり、表面に複数の音響孔が設けられている。又、６０は収納部５６の縁部からはみ出した防雨膜５８を固定するための押さえリングである。
【０００６】
【発明が解決しようとする課題】
ところで、上述した従来の防雨型警報装置においては、グローブ５１をカバープレート５０に取り付けるために、グローブ５１のねじ部５１ｃと係合する雌ねじ部５２ｃを有するベース５２が用いられている。これは、グローブ５１を着脱可能としておき、上記発光体にランプ等の通常の電球を用いた場合において、該電球が破損したときに電球の交換を容易とするためであった。
【０００７】
しかし、近年においては、上記発光体としてＬＥＤ（ｌｉｇｈｔ  ｅｍｉｔｔｉｎｇ  ｄｉｏｄｅ；発光ダイオード）が用いられることが多くなっている。このため、通常の使用形態において発光体が破損するということはほとんどなく、防雨型警報装置を取り付けた後は、グローブを着脱可能としておいても実際に着脱されることはほとんどない。従って、ねじ部、ベース等は、実質上その存在意義を失っており、かえって防雨型警報装置の構成を複雑化し、製造工程の煩雑化、製造費用の上昇等を引き起こすという問題点を有していた。
【０００８】
更に、外部から容易にグローブを着脱することができるようにしておくと、悪戯によってグローブのみを取り外されることがある。このような場合、発光体とグローブとによって周囲に光を放射する機能が損なわれると共に、発光体が外部に露出するので、発光体やその取付部分、ひいては警報装置内の素子までもが破損するおそれが強くなるという問題点を有していた。
【０００９】
一方、グローブ内に雨雪等の水分が浸入すると、発光体や回路基板等に水がかかり、それらの部品を損傷することともなるので、何らかの手段によってグローブ内への水分の浸入を防ぐ必要がある。上述の防雨型警報装置においては、グローブ取付部分に特別な防雨手段を設けず、部材間を密着させることによって雨雪等の浸入を防ぐこととしている。又、これ以外の手段としては、グローブとベースとの間若しくはベースとカバープレートとの間に、防雨手段として円環状のゴムパッキンを介在させるもの等がある。
【００１０】
しかし、部材間の密着による場合には、その密着部分における毛細管現象によって水分が浸入するので、防雨機能を完全なものとすることはできない。又、防雨手段としてゴムパッキンを用いた場合には、当該ゴムパッキンが雨雪等の水分によって浸食されたり、部材間に挾持される圧力によって劣化したりするおそれがある。このため、例えば、屋外に設置されて長時間悪天候にさらされるような過酷な使用形態の場合には、グローブ取付部分から防雨型警報装置内部に水が浸入する可能性がある。
【００１１】
又、警報音を発するための機構についても、スピーカ、防雨膜、発音開口部、押さえリングという各々独立した部材の結合によって構成されているので、やはり防雨型警報装置全体の構成を複雑化する要因となっていた。
【００１２】
本発明はこのような事情に鑑みてなされたもので、警報装置として必要とされる機能を保持しつつ、装置の構成を簡単化し、かつ、より充実した防雨機能を確保することができる防雨型警報装置を提供することを目的とする。
【００１３】
【課題を解決するための手段】
請求項１記載の発明は、本体ケース内部に警報音を発するスピーカと前記スピーカを駆動する回路とを有し、起動スイッチの操作によって警報を発する警報装置において、前面に設けられた発光体と、平面視において前記発光体を取り囲む円周状をなす溝部とを有し、前記本体ケースの前面に取り付けられたカバープレートと、先端部分が前記溝部とはめあう円筒状の部材であって、前記先端部分の外周側面と前記溝部の内周側面とがしまりばめになって前記溝部に挿着されている円筒状部材と、前記カバープレートの前面に取り付けられて前記発光体及び前記円筒状部材を覆うグローブとを有することを特徴としている。
【００１４】
請求項２記載の発明は、請求項１記載の防雨型警報装置において、前記円筒状部材の外周側面が前記先端部分直前まで内径方向に傾斜していることを特徴としている。
【００１５】
請求項３記載の発明は、請求項１又は２記載の防雨型警報装置において、前記円筒状部材は、その基端に該円筒部より大径のつば部が設けられていることを特徴としている。
【００１６】
請求項４記載の発明は、請求項１〜３のいずれかの項記載の防雨型警報装置において、前記カバープレートは、前記発光体を取り囲む円周上に形成された所定の形状の取付孔及びねじ孔を有し、前記溝部が前記円周の内側の同心円に沿って形成されたカバープレートであり、前記グローブは、前記カバープレートへの取付側の縁部に、前記取付孔の形状に応じて突設された爪部と、前記ねじ孔と重合する凹部とを有し、前記爪部を前記取付孔へ嵌通させ、かつ、重合した前記ねじ孔と前記凹部とにねじを嵌通させて前記カバープレートに取り付けられたグローブであることを特徴としている。
【００１７】
【発明の実施の形態】
＜１．外観構成＞
以下に図面を参照して本発明の一実施形態について説明する。図１は本発明の一実施形態による防雨型警報装置の外観構成を示す斜視図である。
【００１８】
図１において、１はカバープレートであり、装置本体の上方となる位置にグローブ２が取り付けられている。このカバープレート１には、本体ケース３と嵌合させたときに、本体ケース３に設けられた起動スイッチ４、復旧スイッチ５及び音響孔シール６が現れるように所定の箇所に所定の形状、大きさの孔が設けられている。
【００１９】
グローブ２は、内部空洞の半楕球状部材であり、楕球を切断した面に相当する方の縁部２ａがカバープレート１に取り付けられている。又、外観においては現れないが、グローブ２の内側には、雨雪等の水分の浸入を防ぐ防雨リングが設けられている。このグローブ２内側の形状、防雨リングの形状及びその設置態様等については後述する。
【００２０】
本体ケース３は、警報音発生等のための種々の部材が収納されているケースである。起動スイッチ４は、警報のＯＮ／ＯＦＦを操作するためのスイッチであり、一旦押圧されると、復旧スイッチ５が押圧されるまでＯＮ状態を保持し、警報が発せられ続ける。音響孔シール６は、警報音を発する機構（以下、「警報音発生部」という）の表面に貼着されたシールであり、複数の音響孔６ａが設けられ、併せて電池試験用の表示部分６ｂを有している。なお、ここにいう警報音発生部の詳細についても後述する。
【００２１】
＜２．カバープレート１へのグローブ２の取付構造＞
次に、カバープレート１へのグローブ２の取付構造について説明する。図２は本体ケース３から取り外したカバープレート１を示す斜視図であり、カバープレート１からグローブ２を取り外した状態を示している。又、図３はカバープレート１のみを上方からみたときの平面図である。
【００２２】
図２において、７はカバープレート１のグローブ取付位置中央に突設されたＬＥＤであり、カバープレート１の裏側において、本体ケース３に設けられた電源端子と接続される端子を有している。
【００２３】
８は幅が広い部分（幅広部８ａ）と狭い部分（幅狭部８ｂ）とからなる帯状孔であり、ＬＥＤ７を取り囲む同一円周上の４箇所に等間隔で設けられ、長手方向が該円周に沿って湾曲した形になっている（図３参照）。ここで、これら帯状孔８が位置する円周は、グローブ２における取付部分である縁部２ａの大きさに対応している。又、その円周上の帯状孔８の間には、ねじ孔９、９が設けられている。
【００２４】
１０は上記円周より径が小さく、帯状孔８及びねじ孔９より内側の円周に沿って形成された溝部である。この溝部１０の幅ｗ及び深さｄは、防雨リング１１の下縁部分（図２参照）とはめあう所定の寸法となっている。
【００２５】
防雨リング１１は、図２中鉛直方向に延びた円筒部１１ａと、その上縁において外側へ向けて形成された円環状のつば部１１ｂとからなる略円筒状の部材である。この防雨リング１１の鉛直方向断面図及び下方からみた平面図を図４（ａ）、（ｂ）に示す。図４（ａ）に示すように、円筒部１１ａの肉厚は、段状部１１ｃの位置まで円筒部外周側面Ｓａが微小に傾斜して徐々に薄くなっている。尚、この傾斜は必要に応じてつけるものであり、通常は平坦なものとしてよい。又、段状部１１ｃ以下の下縁部分は、さらに薄い一定の肉厚ｖで一定の長さｈだけ延設され、狭縁部１１ｄが形成されている。
【００２６】
ここで、肉厚ｖは上記幅ｗより若干小さく、長さｈは上記深さｄとほぼ等しくなっており、かつ、狭縁部１１ｄの外径と溝部１０の内径とが等しくなっている。これにより、溝部１０の内周側面と狭縁部１１ｄの外周側面とがしまりばめになって密着し、溝部１０の外周側面と狭縁部１１ｄの内周側面とがゆるみばめになる。
【００２７】
一方、図２のグローブ２の縁部２ａには、帯状孔８に対応した４個の断面Ｌ字状の爪部１２が設けられている。又、グローブ２の断面は図５に示すようになっており、縁部２ａから先端部２ｂへ向かって階段状に形成された傾斜内面によって半楕球形状が形成されている。ここで、該階段状内面のそれぞれの段の長さ（段差）は、先端部２ｂへ向かうにつれて小さくなっており、縁部２ａ下端面から１つ目の段２ｃまでが最長で上記防雨リング１１の段状部１１ｃからつば部１１ｂ上面までの長さより若干長くなっている。２ｄは縁部２ａの内面側に形成された凹部であり、グローブ２をカバープレート１に取り付けたときに、ねじ孔９と重合するところに位置している。
【００２８】
以上述べたグローブ２の取付部分は、狭縁部１１ｄが溝部１０へはめあわされて防雨リング１１がカバープレート１に挿着され、その上にグローブ２がかぶせられた形となる。ここで、グローブ２は、それぞれの爪部１２を帯状孔８の幅広部８ａに嵌通させてから少量回転することによって、爪部１２を幅狭部８ｂに挿入してカバープレート１に取り付けられる。又、このようにして帯状孔８と爪部１２とによってグローブ２を取り付けた後、グローブ２の回り止めに、カバープレート１の裏側から重合したねじ孔２ｄとねじ孔９にねじを圧入することにより、グローブ２が固定されるようになっている。
【００２９】
上述のようにグローブ２が防雨リング１１を覆ってカバープレート１に取り付けられている様子を図６に示す。この図は、グローブ２の取付部分中央の断面図である。図示のように、断面Ｌ字状をなす円筒部１１ａ及びつば部１１ｂにより、グローブ２の取付部分内面側に水路Ｘが形成されている。
【００３０】
ここで、図６の記号Ｂで示す部分、すなわち、狭縁部１１ｄと溝部１０のはめあいの部分を拡大すると、図７のようになる。尚、この図では、鉛直方向を本防雨型警報装置が実際に設置されたときの鉛直方向としている。図示のように、溝部１０の内周側面Ｓ１と狭縁部１１ｄの外周側面Ｓ２とがしまりばめになって防雨リング１１が弾性変形した状態で密着しており、かつ、円筒部外周側面Ｓａが段状部１１ｃの位置まで微小に傾斜しているので、カバープレート１とグローブ２との間の僅かな隙間からグローブ２内へ浸入した雨雪等の水は、図中符合Ｗで示す水路Ｘのカバープレート側に集まって流れることとなる。すなわち、グローブ２内へ浸入してきた水は、カバープレート１の表面に沿って流れ、円筒部外周側面Ｓａに当たり、防雨リング１１内へ向かう運動エネルギーが失われ、水路Ｘを通って緩やかに流れ落ちるようになるのである。
【００３１】
＜３．本体ケース３の内部構成＞
続いて、本体ケース３内の構成について説明する。図８はカバープレート１を取り外したときの本体ケース３の前面を示す図である。なお、ここでは省略するが、本体ケース３の内部には、上記起動スイッチ４及び復旧スイッチ５の操作に応じて警報を発するための回路基板が設けられている。
【００３２】
図において、１３は外部の交流電源と接続される端子である。１４は予備電源として用いられる充電式の蓄電池であり、端子１３を介して供給される電力によって充電されるようになっている。１５はヒューズであり、ガラス管ヒューズを保持したヒューズキャリアと、それを受けるヒューズベースとから構成されている。このヒューズ１５は、端子１３、１３と接続される交流電源及び蓄電池１４の予備電源の各々に対応して上記回路基板の所定位置に設けられている。
【００３３】
１６は上記ＬＥＤ７の端子が接続されるＬＥＤ電源端子である。１７は予備のガラス管ヒューズであり、本体ケース３内に嵌着されている。１８は警報信号の入出力用端子である。
【００３４】
ここで、本体ケース３内に設けられた警報音発生部の構成について詳述する。警報音発生部は、スピーカ、防雨膜等によって、スピーカ取付部１９の裏面に図９に示すように構成されている。図９は、図８に示した本体ケース３の前面を底面として警報音発生部の構成を示した斜視図である。
【００３５】
図９において、２０は本体ケース３のスピーカ取付部１９の裏面に設けられたスピーカ収納部である。このスピーカ収納部２０は、スピーカ２１の発音部外縁２１ａの大きさに合致した環状の外枠２０ａと、外枠２０ａの内側でスピーカ用パッキン２２を支持するパッキン支持部２０ｂとを有し、防雨フィルム２３をスピーカ用パッキン２２とスピーカ２１とによって挟み込む形で収納する。ここに、スピーカ用パッキン２２は、スピーカ２１の発音部外縁２１ａを受けるための円環状のパッキンであり、防雨フィルム２３は、薄膜状のフィルムからなる防雨膜である。
【００３６】
２０ｃ、２０ｃは外枠２０ａに延設されたスピーカ押さえであり、スピーカ２１等をスピーカ収納部２０に収納したときにスピーカ２１の発音部外縁２１ａがはめ合わさる凸部を有している。更に、外枠２０ａの外側側面には、ねじ受け孔２０ｄが設けられており、ねじ２４によって、外枠２０ａ内に収納されたスピーカ２１の発音部外縁２１ａを押止する構成となっている。
【００３７】
又、２５は複数の断面Ｌ字型の帯状板からなる格子状開口部であり、パッキン支持部２０ｂから一定の間隔を隔てて設けられ、底面（本体ケース３の前面）側には上記音響孔シール６が貼着されている。これにより、スピーカ２１の発音部及び防雨フィルム２３の前方に共鳴部が形成される。又、この格子状開口部２５は、音響孔シール６の音響孔６ａの部分を補強すると共に、断面Ｌ字型とすることによって物体が外部から侵入し難くして防雨フィルム２３を保護する機能を有している。
【００３８】
＜４．全体構成＞
以上述べた防雨型警報装置全体の中央部断面図を図１０に示す。図示のように、カバープレート１とグローブ２とが一体化し、グローブ取付部分の構成が大幅に簡略化されている。そして、グローブ２の内部には、防雨リング１１が、溝部１０の内周側面と狭縁部１１ｄの外周側面とがしまりばめ、溝部１０の外周側面と狭縁部１１ｄの内周側面とがゆるみばめになって挿着されている。これにより、上述の水路Ｘが形成され、浸入した雨雪等の水はこの水路Ｘに沿ってＬＥＤ７を回り込むようにして下方へ流れる。
【００３９】
又、警報音発生部についても、格子状開口部２５が本体ケース３と一体形成されている。更に、スピーカ２１が強固に固定され、発音部外縁２１ａからはみ出る防雨フィルム２３がスピーカ２１の発音部後方へ折れ曲がるので、従来における防雨膜用の押さえリングのようなものを要しない。このように、上述した防雨型警報装置においては、従来に比べて装置全体の構成が格段に簡単化されている。
【００４０】
【発明の効果】
以上説明したように本発明によれば、グローブ内において、発光体を取り囲む円周状をなす溝部をカバープレートに形成すると共に、先端部分の外周側面が該溝部の内周側面としまりばめになって密着している円筒状部材を設けたので、グローブ内へ浸入してきた水は円筒状部材の外周側面に沿って流れ落ちることになる。これにより、円筒状部材より内側に水分が浸入することがなくなり、グローブ内の発光体やその他の内部素子に水がかかることを防止することができる。このようにして、防雨型警報装置における防雨機能がより完全なものとなり、製品寿命の一層の長期化及び過酷な使用環境における耐久性の向上等を図ることができるという効果が得られる。
【００４１】
ここで、請求項２記載の発明では、円筒状部材の外周側面を先端部分直前まで内径方向に傾斜したものとしたので、グローブ内へ浸入した雨雪等の水は該外周側面の先端側に集まって流れることになる。これにより、浸入した水が円筒状部材の外周側面に蓄積されることを回避することができ、外周側面に沿った水流が促進されて迅速に水が流れ落ちるという効果が得られる。
【００４２】
更に、請求項３記載の発明によれば、円筒状部材の基端につば部を設けることとしたので、グローブ内へ多量の水が浸入した場合にあっても、円筒状部材の基端側からの水分の浸入を防止することができ、防雨機能をより一層高めることができるという効果が得られる。
【００４３】
一方、請求項４記載の発明では、溝部より外側の円周上に所定形状の取付孔を設け、グローブ側に設けた爪部を嵌通させることによって、グローブをカバープレートに取り付けることとしたので、グローブ取付用のベースを必要としない。従って、上述のように防雨機能の完全化を図り得る上に、防雨型警報装置全体の構成を簡略化することもできるという効果が得られる。
【図面の簡単な説明】
【図１】本発明の一実施形態による防雨型警報装置の外観構成を示す斜視図である。
【図２】本体ケース３から取り外したカバープレート１を示す斜視図である。
【図３】カバープレート１のみを上方からみたときの平面図である。
【図４】防雨リング１１の鉛直方向断面図（ａ）及び下方からみた平面図（ｂ）である。
【図５】グローブ２の断面を示す図である。
【図６】グローブ２の取付部分中央の断面図である。
【図７】溝部１０と狭縁部１１ｄのはめあいの態様を示す拡大図である。
【図８】カバープレート１を取り外したときの本体ケース３の内部を示す図である。
【図９】本体ケース３の前面を底面として警報音発生部の構成を示した斜視図である。
【図１０】同実施形態による防雨型警報装置の断面図である。
【図１１】従来の防雨型警報装置を示す概略斜視図である。
【符号の説明】
１  カバープレート
２  グローブ
３  本体ケース
４  起動スイッチ
６  音響孔シール
６ａ  音響孔
７  ＬＥＤ
８  帯状孔
９  ねじ孔
１０  溝部
１１  防雨リング
１１ａ  円筒部
１１ｂ  つば部
１１ｃ  段状面
１１ｄ  狭縁部
１２  爪部
Ｓａ  円筒部外周側面
Ｓ１  溝部内周側面
Ｓ２  狭縁部外周側面
Ｘ  水路
【図１】
0003621198.tif 000002
【図２】
0003621198.tif 000003
【図３】
0003621198.tif 000004
【図４】
0003621198.tif 000005
【図５】
0003621198.tif 000006
【図６】
0003621198.tif 000007
【図７】
0003621198.tif 000008
【図８】
0003621198.tif 000009
【図９】
0003621198.tif 000010
【図１０】
0003621198.tif 000011
【図１１】
0003621198.tif 000012